(57)【要約】  本発明は、少なくとも１つの糖界面活性剤、及び殺生物剤として式（Ｉ）の化合物を含む抗菌洗浄組成物に、並びに殺生物剤の活性を向上させるための糖界面活性剤の使用に関する。
2014528019.tif 000002
【特許請求の範囲】
【請求項１】
少なくとも１つの糖界面活性剤、及び殺生物剤として式（Ｉ）の化合物
【化１】
2014528019.tif 000009
［式中、
Ｘ＝Ｏ、Ｓ又は−ＣＨ２−、
Ｙ＝Ｃｌ又はＢｒ、
Ｚ＝ＳＯ２Ｈ、ＮＯ２又はＣ１〜Ｃ４−アルキル、
ｋ、ｌ＝０又は１、
ｍ＝０、１、２又は３、
ｎ＝０、１、２又は３、
ｏ＝０又は１］
を含む抗菌洗浄組成物。
【請求項２】
一般式（ＩＩ）
【化２】
2014528019.tif 000010
［式中、Ｒ＝アルキル又はアルケニル、
Ｇ＝アルドース又はケトース、及び
Ｐ＝１、２、３、４、５、６、７、８、９又は１０］
の糖界面活性剤を使用する、請求項１に記載の組成物。
【請求項３】
Ｒが直鎖又は分枝鎖であってよいＣ４〜Ｃ２２の炭素鎖である、請求項１又は２に記載の組成物。
【請求項４】
使用した殺生物剤が、式（Ｉａ）：
【化３】
2014528019.tif 000011
又は式（Ｉｂ）：
【化４】
2014528019.tif 000012
の化合物である、請求項１から３までのいずれか１項に記載の組成物。
【請求項５】
使用した糖界面活性剤が、一般式（ＩＩ）の種々の化合物の混合物であり、かつ使用した殺生物剤が、一般式（Ｉ）の種々の化合物の混合物である、請求項１から４までのいずれか１項に記載の組成物。
【請求項６】
硬質表面のための洗浄組成物である、請求項１から５までのいずれか１項に記載の組成物。
【請求項７】
ｐＨ５〜１２を有する、請求項１から６までのいずれか１項に記載の組成物。
【請求項８】
濃縮物の形である、請求項１から７までのいずれか１項に記載の組成物。
【請求項９】
洗浄のために、式（Ｉ）の化合物を、０．０００１〜１０％の最終濃度で使用する、請求項１から８までのいずれか１項に記載の組成物。
【請求項１０】
洗浄のために、式（ＩＩ）の化合物を、０．１〜２０％の最終濃度で使用する、請求項１から９までのいずれか１項に記載の組成物。
【請求項１１】
安定剤、抗酸化剤、他の界面活性剤、ヒドロトロープ剤、稠性調整剤、防腐剤、フレグランス、染料、錯化剤、溶媒及び水を含む群から選択される他の添加剤の少なくとも１つを含む、請求項１から１０のいずれか１項に記載の組成物。
【請求項１２】
前記式（Ｉ）の殺生物剤を、最初に糖界面活性剤中で予め溶解し、そして水性相中に導入する、請求項１から１１までのいずれか１項に記載の抗菌洗浄組成物を製造するための方法。
【請求項１３】
非イオン性糖界面活性剤の洗浄性を高めるための前記式（Ｉ）の殺生物剤の使用。
【請求項１４】
前記式（Ｉ）の殺生物剤の殺菌効果を高めるための糖界面活性剤の使用。
【請求項１５】
硬質表面の洗浄及び／又は消毒のための、請求項１から１０までのいずれか１項に記載の組成物の使用。
【発明の詳細な説明】
【技術分野】
【０００１】
本発明は、少なくとも１つの糖界面活性剤、及び殺生物剤として式（Ｉ）の化合物を含む抗菌洗浄組成物に、並びに殺生物剤の活性を向上させるための糖界面活性剤の使用に関する。
【０００２】
硬質表面洗浄組成物及び消毒組成物は、一般に、１つ以上の界面活性剤及び場合により１つ以上の殺生物剤を含む。ほとんどのアニオン性界面活性剤、非イオン性界面活性剤、両性界面活性剤及び／又はカチオン性界面活性剤が、かかる洗浄組成物において使用される。非イオン性界面活性剤は、通常、脂肪質の汚れに対するそれらの有効性のために使用される。非イオン性界面活性剤は、低い殺虫効果を呈するか又は全く殺虫効果を有さず、一般に界面活性剤の殺虫効果が低いことが観察されている。
従って、組成物に別々の殺生物剤を添加することが通例である。典型的な殺生物剤は、強酸、アルカリ、フェノール物質及び酸化剤、例えば過酸及び次亜ハロゲン酸塩である。これらの殺生物剤は、一般に高い反応種である。結果として、それらは毒性、腐食性及び刺激性の特性を呈する。さらに、殺生物剤としてのそれらの活性は、それらの高い反応性のため短命である。従って、これらの反応性成分は、洗浄組成物中で比較的高い割合で要求される。
ＤＥ６９７２２４０８号Ｔ２は、生理学的ｐＨの範囲外で、芳香族アルコール又はそれ自体フェノールとは異なる芳香族フェノールと非イオン性エトキシ化アルカノール界面活性剤との抗菌効果に関する相乗効果を報告している。しかしながら、洗浄性における増加は開示されていない。
先行技術は、ある殺生物剤の効果を増加する他の界面活性剤を開示している。ＤＥ ３６１９３７５号において、アルコール含有又はカルボン酸含有防腐組成物におけるようなアルキルグリコシドの使用が、アルコール又はカルボン酸の殺菌効果における著しい増加を導くことが見出されている。これは、グラム陽性菌に対する殺菌効果における向上から明白である。これらの組成物は、強酸のｐＨで、一般にｐＨ３未満で使用される。しかしながら、ここでの考察は、向上させた洗浄ではなく、殺生物剤の向上させた効果である。
ＤＥ６０２１０３１７号Ｔ２は、殺生物剤としてポリマービグアニドを含む表面を処理するための抗菌組成物を記載している。これらの水性組成物は、殺虫効果に加えて良好なフィルム形成／ストリーキング及び光沢の維持／向上のプロフィールを示す。向上させた洗浄は開示されていない。
当業者は、非極性殺生物剤が洗浄性を減少することを知っている。さらに、界面活性剤／殺生物剤の組合せは、それ自体、殺生物剤自体と比較して減少した効果を呈することも公知である。理論上では、これは、界面活性剤のミセル中に殺生物剤が吸収されることによって説明され、かつ従って効果の減少に寄与する（"Ｓｕｒｆａｃｅ Ａｃｔｉｖｅ Ａｇｅｎｔｓ"、Ｐｏｒｔｅｒ １９９０、Ｅｌｓｅｖｉｅｒ）。
家庭用クリーナーにおける殺菌活性成分としてのヒドロキシジフェニルエーテルの使用は、例えばＥＰ １ １６７ ５０３号Ａ１から公知である。しかしながら、これらのクリーナーは、調合物中でヒドロキシジフェニルエーテルの殺菌効果を著しく減少する高い含有率の合成洗剤又は合成石鹸を有する事実を参照できる。結果として、かかる家庭用クリーナーの殺菌効果は、不十分である。
【０００３】
本発明の目的は、特に向上した一次及び／又は二次洗浄性を呈する、新規の向上した抗菌洗浄組成物を提供することであった。さらに、抗菌効果は、不変のままであるべきであり、かつ／又は同時に向上されるべきである。
【０００４】
この目的は、本発明による抗菌洗浄組成物によって達せられる。
本発明は、従って、少なくとも１つの糖界面活性剤、及び殺生物剤として少なくとも式（Ｉ）の化合物
【化１】
2014528019.tif 000003
［式中、指数は、以下の意味を有する：
Ｘ＝Ｏ、Ｓ又は−ＣＨ２−、
Ｙ＝Ｃｌ又はＢｒ、
Ｚ＝ＳＯ２Ｈ、ＮＯ２又はＣ１〜Ｃ４−アルキル、
ｋ、ｌ＝０又は１、
ｍ＝０、１、２又は３、
ｎ＝０、１、２又は３、
ｏ＝０又は１］
を含む抗菌洗浄組成物を提供する。
【０００５】
本発明の記載内容の範囲内で、糖界面活性剤は、親水性部分として炭水化物及び疎水性成分として脂肪アルコール又は脂肪酸を有する非イオン性界面活性剤である。
【０００６】
本発明の一実施態様において一般式（ＩＩ）
【化２】
2014528019.tif 000004
［式中、Ｒ＝アルキル又はアルケニル、
Ｇ＝アルドース又はケトース、及び
Ｐ＝１、２、３、４、５、６、７、８、９又は１０］の糖界面活性剤が使用される。
【０００７】
他の変法において、本発明によって使用されるべき糖界面活性剤は、式ＩＩのアルキルポリグリコシド及び／又はアルケニルポリグリコシドであり、ここでＲは炭素原子４〜２２個を有するアルキル基及び／又はアルケニル基であり、Ｇは炭素原子５又は６個を有する糖基であり、かつＰは１〜１０の数である。他の実施態様において、アルキルポリグリコシド及び／又はアルケニルポリグリコシドは、炭素原子５又は６個を有するアルドース又はケトースに由来する。
式（ＩＩ）における構成成分Ｇは、一実施態様において、ヘキソースの群から、有利にはアロース、アルトロース、グルコース、マンノース、グロース、イドース、ガラクトース、タロース、プシコース、フルクトース、ソルボース、タガトースを含む群から選択され、特に有利にはグルコースである。
他の一実施態様において、式（ＩＩ）における構成成分Ｇは、ペントースの群、有利にはリブロース、キシルロース、リボース、アラビノース、キシロース、リキソースを含む群、特に有利にはキシロース及び／又はアラビノースから選択される。
【０００８】
本発明の一変法において、好ましいアルキルオリゴグリコシド及び／又はアルケニルオリゴグリコシドは、アルキルオリゴグルコシド及び／又はアルケニルオリゴグルコシドである。
一般式（Ｉ）における指数ｐは、オリゴマー化の程度（ＤＰ）、すなわちモノグリコシド及びオリゴグリコシドの分布をもたらし、１〜１０の数である。前記化合物におけるｐが常に整数であり、かつここで特にｐ値が１〜６であると想定できるのに対して、あるアルキル（オリゴ）グリコシドについてのｐ値は、ほとんどの場合に有理数である解析的に決定され算出されたパラメータである。本発明の一実施態様において、１．１〜３．０の平均重合度ｐを有するアルキルオリゴグリコシド及び／又はアルケニルオリゴグリコシドが使用される。
【０００９】
本発明によるアルキルポリグリコシド及び／又はアルケニルポリグリコシドは、調整用有機化学の関連方法（the relevant methods of preparative organic chemistry）によって得られてよい。広範囲な文献の表現として、Ｂｉｅｒｍａｎｎ ｅｔ ａｌ．によるＳｔａｒｃｈ／Ｓｔａｅｒｋｅ ４５， ２８１ （１９９３）における、及びＪ．Ｋａｈｒｅ ｅｔ ａｌ．によるＳＯＥＦＷ−Ｊｏｕｒｎａｌ ｖｏｌｕｍｅ ８， ５９８ （１９９５）における評論紙を参照できる。
分岐していない脂肪アルコールに基づくアルキルポリグリコシド及び／又はアルケニルポリグリコシドと同様に、一変法において、分岐した基Ｒを有するアルキルポリグリコシド及び／又はアルケニルポリグリコシドが使用される。
一実施態様において、式（ＩＩ）における基Ｒは、脂肪アルコール、第一級アルコール、特にいわゆるオキソアルコール、例えばノニルアルコール、ウンデシルアルコール又はトリデシルアルコール、並びに直鎖のオクチル基、デシル基、ドデシル基、テトラデシル基、ヘキサデシル基又はオクタデシル基を含有する第一級アルコールを含むアルコールの群、並びにそれらの混合物から選択される。
一変法において、分岐してもよい、Ｃ４〜Ｃ１８、有利にはＣ１２〜Ｃ１６、特にＣ１２〜Ｃ１４を有する炭素鎖を有するアルコールが選択される。
本発明の一実施態様において、分岐した基は、イソアミル、イソヘキシル及び／又はイソヘプチル、有利には２−エチルヘキシル及び／又は２−プロピルヘプチルである。
本発明によって、一般式（ＩＩ）の種々の化合物の混合物を使用することもできる。従って、全ての可能なアルキル基及び／又はアルケニル基を有する種々のアルドース又はケトースの全ての組合せを使用できる。
【００１０】
他の一実施態様において、本発明の洗浄組成物は、殺生物剤として、式（Ｉａ）
【化３】
2014528019.tif 000005
又は式（Ｉｂ）
【化４】
2014528019.tif 000006
有利には式（Ｉａ）の化合物を含む。
【００１１】
本発明によって、一般式（Ｉ）の種々の化合物の混合物を使用することもできる。従って、本発明による組成物において、一般式（ＩＩ）の種々の化合物と一般式（Ｉ）の種々の化合物との全ての組合せを使用することができるが、一般式（ＩＩ）の種々の化合物の混合物と、一般式（Ｉ）の種々の化合物の混合物との組合せも使用できる。
【００１２】
本発明の記載内容の範囲内で、洗浄組成物又は洗浄剤は、
− 硬質表面を洗浄及び／又は消毒するための組成物、例えば全ての目的の洗浄剤、床洗浄剤、手動又は自動皿洗い機のための皿洗い洗剤、手洗い洗剤、ガラス洗浄剤、キッチン洗浄剤、浴槽及び衛生洗浄剤、ＷＣ洗浄剤、消毒洗浄剤、
− 織物及び洗濯物のための洗浄及びケア組成物、例えば洗剤、織物柔軟剤、シミ抜き剤
である。
【００１３】
洗浄剤の調合物タイプは、洗浄剤及び消毒剤濃縮物、液体洗浄剤又は消毒剤、粉状洗浄剤又は消毒剤、洗浄又は消毒のためのスプレー、エマルション及びゲルを含む群から選択される。
【００１４】
処理されるべき表面は、ガラス、プラスチック、金属、鋼鉄、木材、石材、セラミック、セメント、被覆、複合材料、織物（天然繊維、例えば綿、羊毛、絹、及び合成繊維、例えばポリエステル、ポリオレフィン（ＰＥ、ＰＰ等）、ポリアミド、ポリウレタン、ＰＶＣ等）、発泡材料、及び椅子張り材料及びカーペットを含む群から選択される。
【００１５】
本発明の一変法において、それは、硬質表面のための洗浄組成物である。本発明の記載内容の範囲内で、硬質表面は、例えばタイル、セラミック、ガラス、ガラス繊維、金属、鋼鉄、アルミニウム、プラスチック、木材、石材、被覆、複合材料、セメント等であるが、織物ではない。
【００１６】
硬質表面の洗浄中に、しばしば表面を消毒する必要がある。この適用において、消毒は、微生物の殺生又は微生物の成長における減少を意味すると解される。
【００１７】
本発明の他の一実施態様において、組成物は、ｐＨ５〜１２、有利には７〜１０、特に７〜９を有する。
【００１８】
一変法において、本発明による組成物は、濃縮物の形である。濃縮物は、通常、（ほとんどの場合に水での）希釈による適用に対応する特定の濃度に調整された増加させた活性物質含有量を有する水性調合物である。濃縮物は、有利には、さらに、抗酸化剤、例えばＢＨＴ、アスコルビン酸等を安定剤として含む。
他の一実施態様において、本発明による洗浄組成物は、０．０００１〜１０質量％、有利には０．０００１〜１質量％、特に０．００３〜０．５質量％の最終濃度で式（Ｉ）の化合物、及び０．１〜２０質量％、有利には１〜１０質量％、特に有利には２〜５質量％、特に２．５質量％の最終濃度で式（ＩＩ）の化合物を含む。
【００１９】
本発明の一実施態様において、洗浄及び消毒のために、式（Ｉ）の化合物を、０．０００１〜１０質量％、有利には０．０００１〜１質量％、特に０．００３〜０．５質量％の最終濃度で使用する。
【００２０】
本発明の一実施態様において、洗浄のために、式（ＩＩ）の化合物を、０．１〜２０質量％、有利には１〜１０質量％、特に有利には２〜５質量％、特に２．５質量％の最終濃度で使用する。
【００２１】
濃縮物が存在する場合に、濃縮物を、洗浄されるべき表面への適用に対して、式（Ｉ）及び（ＩＩ）の化合物が前記濃度で存在するように希釈する。
【００２２】
一変法において、本発明による洗浄組成物は、安定剤、抗酸化剤、他の界面活性剤、酸、塩基、ヒドロトロープ、漂白システム、稠性調整剤、防腐剤、分散剤、フレグランス、染料、錯化剤、溶媒及び水を含む群から選択された他の添加剤の少なくとも１つを含む。
【００２３】
本発明は、さらに、本発明による抗菌洗浄組成物を製造するための方法を提供する。その製造は、成分を混合することによる当業者に公知の処理工程で実施され、ここで、式（Ｉ）の殺生物剤を、最初に糖界面活性剤中で予め溶解し、そして水性相中に導入する。
【００２４】
本発明は、さらに、非イオン性糖界面活性剤の洗浄性を高めるための式（Ｉ）の殺生物剤の使用も提供する。この点について、本発明による殺生物剤を有さない対照と比較して、特に一次洗浄性が向上される。
本発明の記載内容の範囲内で、一次洗浄性は、表面から、有利には硬質表面からの汚れの除去を意味すると解されるべきである。一次洗浄性の測定のために、本発明の一変法において、全ての目的の洗浄剤についてＩＰＰ−Ｇａｒｄｎｅｒ試験が、"ＩＰＰ ｓｔａｎｄａｒｄ"（ＳＯＥＦＷ、Ｎｏ．１０／１９８６、３７１頁）に従って使用される。
従って、本発明は、"ＩＰＰ ｓｔａｎｄａｒｄ"（ＳＯＥＦＷ、Ｎｏ．１０／１９８６、３７１頁）又はそれらの変法に従って全ての目的の洗浄剤について、ＩＰＰ−Ｇａｒｄｎｅｒ試験を使用して測定した、式（Ｉ）の殺生物剤を有さない対照と比較して、式（Ｉ）の殺生物剤を添加することによる非イオン性糖界面活性剤を含む洗浄剤の一次洗浄性を向上するための方法に関する。
一次洗浄性は、２％、３％、有利には４％、５％、６％、特に有利には７％、８％、９％、特に１０％以上まで本発明によって増加する。
【００２５】
一実施態様において、本発明は、式（Ｉ）の殺生物剤を添加することによって非イオン性糖界面活性剤を含む洗浄組成物の殺菌効果を高めるための方法を提供する。
【００２６】
一次洗浄性における向上と同様に、非イオン性糖界面活性剤を含む洗浄組成物における式（Ｉ）の殺生物剤の使用は、二次洗浄性の保持又は向上を導く。
本発明の一実施態様において、二次洗浄性は、洗浄される表面の光沢の保持である。
本発明の一変法において、光沢挙動は、次の試験を使用して測定される：試験物質を適用する前に、黒いセラミックのタイルを、５５℃のプログラム"Ｕｎｉｖｅｒｓａｌ Ｐｌｕｓ"及び標準皿洗い機用粉末を有する皿洗い機中で洗浄し、そして乾燥後に、イソプロパノールで洗浄し、そして酢酸エチルで洗浄する。表面を、温水下でスポンジで洗浄し、そして蒸留水及びスポンジで再度洗浄する。蒸留水の流出を視覚的に評価する。
光反射を、Ｂｙｋ−Ｇａｒｄｎｅｒ光沢メーターを使用して、準備したタイルの５点上で２０°の角度で測定する。試験物質の２５滴を、それぞれ５列５滴でのピペットを使用して適用し、そして紙タオルを使用して広げる。広げは、上方から下方へ１０列、下方から上方へ１０列で圧力なしでの拭き取りによって実施する。
試験物質を、例えば、次の溶液中で適用する：
０．１％ＡＳ（活性物質）試験材料、１．０％ＡＳ Ｌｕｔｅｎｓｏｌ ＯＮ ８０（ＢＡＳＦ）、及び１００％脱塩水。
乾燥後に、光反射を、再度、可能であればタイルの同一の点で測定する。
光沢保持は、処理した表面の測定値と、試験物質を適用する前の洗浄したタイルの値との割合から生じる。
本発明の一変法において、本発明による洗浄組成物の光沢保持は、本発明による殺生物剤を使用しない洗浄組成物の値と比較して一定であり、有利には２％、３％、４％、５％、６％、特に有利には７％、８％、９％、特に１０％以上まで増加する。
【００２７】
本発明の一実施態様において、二次洗浄性は、材料相容性である。
本発明の一変法において、材料相容性は、次の試験を使用して測定する：
洗浄溶液中での浸漬に続いてプラスチック棒上でのクラッキングによって、測定値は、プラスチック上での洗浄剤の相容性を評価するのに役立つ。
試験されるべきプラスチックは、金属ピンを備えており、それによって緊張して置かれ、かつ試験溶液中に浸漬される。
ある時間間隔後に、プラスチック棒における変化を評価する。
目的物に依存して、試験されるべき物質の５％ＡＳ（活性物質）を使用することが好ましい。
評価は、次の評価基準によって視覚的に実施する：
１＝変化なし、２＝亀裂、３＝裂け続ける、及び４＝破壊。
本発明の一変法において、本発明による洗浄組成物の材料相容性は、本発明による殺生物剤を使用しない洗浄組成物の値と比較して一定である。
【００２８】
従来の洗浄剤において、洗浄性は、調合物の乳化力に比例する。しかしながら、本発明による洗浄組成物は、同一の乳化力について殺生物剤の添加の結果として向上した一次洗浄性を呈する。
本発明の一実施態様において、二次洗浄性は乳化力である。
本発明の一変法において、乳化力は、次の試験を使用して測定する：
定義した濃度の試験溶液を、ビーカー中でオリーブオイルで覆い、定義した条件下で撹拌する。そしてこの方法で製造したエマルションを測定シリンダーに移す。エマルション安定性の測定として、１時間後及び４時間後に分離した水性相の体積を測定する。
測定系列を、０°ドイツ硬度又は１６°ドイツ硬度の水硬度で所望されたように記録する。最初に、ｗ＝２％活性物質の質量分率を有する水性の均質界面活性剤溶液５０ｇを、４００ｍｌのビーカー中で、及び／又は特定の要求に従った調合物の場合に製造する。そして新たに製造した溶液を油状物５０ｇで覆う。そしてその溶液を、２０〜２５℃の温度で１２００ｒｐｍ±３ｒｐｍで正確に２分間撹拌する。この点について、撹拌要素は、相境界の高さに位置すべきである。そしてエマルションを、２５０ｍｌの測定シリンダーに移し、そして分離した水の体積を、１時間後及び４時間後に読み取る。測定中に、測定シリンダーは静止したままにすべきである。
一回の測定によって確認された測定値は、測定系列の範囲内で比較でき、かつ基準、例えばラウリル硫酸ナトリウムを導入することによって調査されるべきである。基準の測定値が許容範囲の外にあるならば、測定系列を繰り返すべきである。
無色の油状物での試験の場合に相境界をよりはっきりと読み取ることができるために、ある水溶性又は油溶性の染料を、試験液体に添加することもできる。
本発明の一変法において、本発明による洗浄組成物の乳化力は、本発明による殺生物剤を使用しない洗浄組成物の値と比較して一定である。
【００２９】
本発明は、さらに、式（Ｉ）の殺生物剤の殺菌効果を高めるための糖界面活性剤の使用を提供する。
【００３０】
本発明は、さらに、硬質表面を洗浄及び／又は消毒のための本発明による洗浄組成物の使用を提供する。
【００３１】
本発明による抗菌洗浄組成物は、良好な、長く続く消毒効果を呈する。さらに、本発明による洗浄組成物は、向上した一次洗浄性、並びに一定の又は向上した二次洗浄性を呈する。
糖界面活性剤の、及び殺生物剤としての式（Ｉ）の化合物の本発明による使用は、相乗効果、向上した洗浄性及び向上した抗菌効果における明らかな結果を導く。
本発明の記載内容の範囲内で、特性における向上、上昇又は増加は、成分、試験されていない効果が存在しない対照と比較して決定される。これらの試験を実施するために、当業者は、当業者の一般の専門知識に頼る。
本発明の記載内容の範囲内での相乗効果は、本発明による非イオン性糖界面活性剤と本発明による殺生物剤との組合せによってのみ生じる効果であり、結果としてこれらの構成成分の１つの効果は、この構成成分を有さない対照と比較して増加する。
【図面の簡単な説明】
【００３２】
【図１】糖界面活性剤（Ｇｌｕｃｏｐｏｎ）に基づく全ての目的の洗浄剤の洗浄性における増加を示す図。
【図２】膜形成非イオン性界面活性剤（Ｇｌｕｃｏｐｏｎ）を添加することによってのみ、一次洗浄性を向上し、脂肪アルコールエトキシレート（Ｄｅｈｙｄｏｌ ＬＴ ７）又はアニオン性界面活性剤（Ｔｅｘａｐｏｎ Ｎ７０  ラウリルエーテルスルフェート）の添加に対しては、洗浄性が悪化さえしたことを示す図。
【図３】材料相容性の結果を示す図。
【００３３】
実施例
以下の実施例において、Ｔｉｎｏｓａｎ ＨＰ １００は、１，２−プロピレングリコール中での式１ａの殺生物剤又は化合物の３０％濃度の溶液を意味する。
【００３４】
１．  向上した洗浄性：
洗浄性を、"ＩＰＰ ｓｔａｎｄａｒｄ"（ＳＯＥＦＷ、Ｎｏ． １０／１９８６、３７１頁）に従って、全ての目的の洗浄剤についてＩＰＰ−Ｇａｒｄｎｅｒ試験によって測定した。
【００３５】
本発明による調製物
Ｆ３（すぐに使用できるＡＰＣ）：
・  ２．５％  Ｇｌｕｃｏｐｏｎ ４２５ Ｎ／ＨＨ（５０％）
・  ０．８％  クエン酸（１００％）
・  ０．５％  ＮａＯＨ（５０％）
・  ０．８％  重炭酸ナトリウム（１００％）
・  ０〜０．５％  Ｔｉｎｏｓａｎ ＨＰ １００。
【００３６】
図１は、糖界面活性剤（Ｇｌｕｃｏｐｏｎ）に基づく全ての目的の洗浄剤の洗浄性における増加を示す。
【００３７】
比較調製物：
Ｆ７（すぐに使用できるＡＰＣ）：
・  ２．５％  Ｔｅｘａｐｏｎ Ｎ７０
・  ０．８％  クエン酸（１００％）
・  ０．５％  ＮａＯＨ（５０％）
・  ０．８％  重炭酸ナトリウム（１００％）
・  ０〜０．５％  Ｔｉｎｏｓａｎ ＨＰ １００。
【００３８】
Ｆ９（すぐに使用できるＡＰＣ）：
・  ２．５％  Ｄｅｈｙｄｏｌ ＬＴ ７
・  ０．８％  クエン酸（１００％）
・  ０．５％  ＮａＯＨ（５０％）
・  ０．８％  重炭酸ナトリウム（１００％）
・  ０〜０．５％  Ｔｉｎｏｓａｎ ＨＰ １００。
【００３９】
図２は、膜形成非イオン性界面活性剤（Ｇｌｕｃｏｐｏｎ）を添加することによってのみ、一次洗浄性を向上し、脂肪アルコールエトキシレート（Ｄｅｈｙｄｏｌ ＬＴ ７）又はアニオン性界面活性剤（Ｔｅｘａｐｏｎ Ｎ７０  ラウリルエーテルスルフェート）の添加に対しては、洗浄性が悪化すらしたことを示す。
【００４０】
２．  光沢挙動：
光沢挙動を、上記の試験を使用して測定した：
【表１】
2014528019.tif 000007
【００４１】
結果：調製物の光沢挙動は、本発明による殺生物剤（Ｔｉｎｏｓａｎ ＨＰ １００）を添加した結果、変化せず、かつ良好のままであり、かつより高い濃度又はｐＨ９で増加すらする。
【００４２】
３．  材料相容性：
材料相容性を、上記の試験を使用して測定した：
結果を、図３において見いだせる。
非極性殺生物剤の添加は、プラスチック上での洗浄調合物の材料相容性に不利に影響しない。
【００４３】
４．  乳化性
乳化性を、上記の試験を使用して測定した：
エマルション安定性の測定として、分離した水性相の体積を、１時間後及び４時間後に測定する。
【表２】
2014528019.tif 000008
【００４４】
結果：殺生物剤の添加によって、オリーブオイルの乳化性は増加しない。
【００４５】
５．  抗菌性：
本発明による洗浄組成物の抗菌活性、抗真菌活性を、スポンジ、及び床仕上げ材上で、わずかに改質したＵＳ基準ＡＡＴＣＣ １００−２００４によって測定した。
静菌活性を、ＣＧ基準１４７ｅ（寒天拡散試験）に従って測定した。
０〜０．５％  Ｔｉｎｏｓａｎ ＨＰ １００を含有する本発明による洗浄組成物（全ての目的の洗浄剤及び手洗い皿洗い洗剤）を使用した。
使用した微生物は、病原性グラム陽性菌（Ｓｔａｐｈｙｌｏｃｏｃｃｕｓ ａｕｒｅｕｓ ＡＴＣＣ ６５３８）及びグラム陰性菌（Ｋｌｅｂｓｉｅｌｌａ ｐｎｅｕｍｏｎｉａｅ ＡＴＣＣ ４３５２及びＳａｌｍｏｎｅｌｌａ ｃｈｏｌｅｒａｅｓｕｉｓ ＡＴＣＣ ９１８４）であった。
【００４６】
結果：
式１ａ（Ｔｉｎｏｓａｎ ＨＰ １００）の殺生物剤の抗菌特性は保持されている。微生物の死滅及び長時間の抗菌効果の双方が変化しないままであった。
【図１】
2014528019.tif 000013
【図２】
2014528019.tif 000014
【図３】
2014528019.tif 000015
【手続補正書】
【提出日】平成25年7月16日(2013.7.16)
【手続補正１】
【補正対象書類名】特許請求の範囲
【補正対象項目名】全文
【補正方法】変更
【補正の内容】
【特許請求の範囲】
【請求項１】
非イオン性糖界面活性剤の洗浄性を高めるための、式（Ｉ）
【化１】
2014528019.tif 000016
［式中、
Ｘ＝Ｏ、Ｓ又は−ＣＨ２−、
Ｙ＝Ｃｌ又はＢｒ、
Ｚ＝ＳＯ２Ｈ、ＮＯ２又はＣ１〜Ｃ４−アルキル、
ｋ、ｌ＝０又は１、
ｍ＝０、１、２又は３、
ｎ＝０、１、２又は３、
ｏ＝０又は１］
の殺生物剤の使用。
【請求項２】
一般式（ＩＩ）
【化２】
2014528019.tif 000017
［式中、Ｒ＝アルキル又はアルケニル、
Ｇ＝アルドース又はケトース、及び
Ｐ＝１、２、３、４、５、６、７、８、９又は１０］
の糖界面活性剤を使用する、請求項１に記載の使用。
【請求項３】
Ｒが直鎖又は分枝鎖であってよいＣ４〜Ｃ２２の炭素鎖である、請求項１又は２に記載の使用。
【請求項４】
使用した殺生物剤が、式（Ｉａ）：
【化３】
2014528019.tif 000018
又は式（Ｉｂ）：
【化４】
2014528019.tif 000019
の化合物である、請求項１から３までのいずれか１項に記載の使用。
【請求項５】
使用した糖界面活性剤が、一般式（ＩＩ）の種々の化合物の混合物であり、かつ使用した殺生物剤が、一般式（Ｉ）の種々の化合物の混合物である、請求項１から４までのいずれか１項に記載の使用。
【請求項６】
硬質表面のための洗浄組成物における、請求項１から５までのいずれか１項に記載の使用。
【請求項７】
ｐＨ５〜１２での、請求項１から６までのいずれか１項に記載の使用。
【請求項８】
濃縮物の形での、請求項１から７までのいずれか１項に記載の使用。
【請求項９】
洗浄のために、式（Ｉ）の化合物を、０．０００１〜１０％の最終濃度で使用する、請求項１から８までのいずれか１項に記載の使用。
【請求項１０】
洗浄のために、式（ＩＩ）の化合物を、０．１〜２０％の最終濃度で使用する、請求項１から９までのいずれか１項に記載の使用。
【請求項１１】
安定剤、抗酸化剤、他の界面活性剤、ヒドロトロープ剤、稠性調整剤、防腐剤、フレグランス、染料、錯化剤、溶媒及び水を含む群から選択される他の添加剤の少なくとも１つと組み合わせた、請求項１から１０のいずれか１項に記載の使用。
【国際調査報告】
2014528019.tif 000020
2014528019.tif 000021
2014528019.tif 000022